(57)【要約】【課題】乳幼児を子守帯本体に保持したまま子守帯本体を乳母車に取り付けることが可能な子守帯であって、乳母車に取り付けた場合において、乳幼児の安全性を確保することができる子守帯を提供する。【解決手段】本発明に係る子守帯１１は、子守帯本体３１と肩ベルト１２とを複数の箇所において連結具を介して分離可能に連結することによって構成される子守帯である。そして、子守帯本体３１は、連結具の少なくとも一つを覆う連結具カバーを有する。【選択図】図６
2011147476.tif 000002
【特許請求の範囲】
【請求項１】
子守帯本体と肩ベルトとを複数の箇所において連結具を介して分離可能に連結することによって構成される子守帯であって、
前記子守帯本体は、前記連結具の少なくとも一つを覆う連結具カバーを有する、子守帯。
【請求項２】
前記連結具は、前記子守帯本体における乳幼児の足股部を支持する下端部に設けられ、
前記下端部の連結具を覆う連結具カバーが、前記下端部に配置されている、請求項１に記載の子守帯。
【請求項３】
前記連結具は、前記子守帯本体における乳幼児の両肩部を支持する上両側部に設けられ、
前記上両側部の連結具を覆う連結具カバーが、前記上両側部に配置されている、請求項１に記載の子守帯。
【請求項４】
前記子守帯本体は、前記上両側部を含む背当て部と、前記背当て部の下方に連なる股当て部と、前記股当て部の下方に連なる前当て部とによって構成される布材からなり、
前記前当て部を折り返し、前記前当て部の両側部と、前記背当て部とを連結することによって前記背当て部と前記前当て部との間に乳幼児を収容する空間を形成する、請求項１〜３のいずれかに記載の子守帯。
【発明の詳細な説明】
【技術分野】
【０００１】
本発明は、子守帯に関するものであり、特に、乳母車に装着することが可能な子守帯に関する。
【背景技術】
【０００２】
乳幼児を外出させるときに乳幼児を安全に保持し運搬するために、子守帯が広く用いられている。一般的な子守帯は、乳幼児を保持する子守帯本体と、子守帯本体に連結され、乳幼児を担ぐ者の肩に掛け渡される肩ベルトとを備える。このような子守帯において、乳母車への取り付けが可能な子守帯として、特開２００９−１１８０６号公報（特許文献１）が、開示されている。
【０００３】
特許文献１に記載の子守帯は、乳幼児を保持する子守帯本体と、子守帯本体に分離可能に連結されている肩ベルトとを備える。子守帯を乳母車に取り付ける場合、担ぐ者は、まず肩ベルトを子守帯本体から取り外し、次いで乳幼児を保持した状態で子守帯本体を乳母車に取り付ける。このような構成の子守帯は、乳幼児を子守帯本体に保持したまま、簡単な操作によって子守帯本体を乳母車に取り付けることができるとしている。
【先行技術文献】
【特許文献】
【０００４】
【特許文献１】特開２００９−１１８０６号公報
【発明の概要】
【発明が解決しようとする課題】
【０００５】
しかしながら、特許文献１に記載の子守帯は、乳母車に取り付けられた場合において、乳幼児に対する安全性に関して以下の課題があった。特許文献１に記載の子守帯は、子守帯本体と肩ベルトとを連結させる複数の対となる連結部材を備えている。ここで、子守帯本体から肩ベルトを取り外した状態においては、子守帯本体に設けられた当該複数の連結部材が、外部に向けて剥き出しの状態となっている。したがって、子守帯本体に乳幼児を保持し子守帯本体を乳母車に取り付けた場合、外部に向けて剥き出しとなっているこれらの連結部材によって、乳幼児が怪我をするおそれがあった。さらに、このように子守帯を乳母車に取り付けて用いる場合において、特許文献１に記載の子守帯は、外部に向けて剥き出しとなっている連結部材を放置していることによって、我が国の幼児運搬装置に関する規格を満足できないといった課題もあった。
【０００６】
本発明の目的は、乳幼児を子守帯本体に保持したまま子守帯本体を乳母車に取り付けることが可能な子守帯であって、乳母車に取り付けた場合において、乳幼児の安全性を確保することができる子守帯を提供することである。
【課題を解決するための手段】
【０００７】
本発明に係る子守帯は、子守帯本体と肩ベルトとを複数の箇所において連結具を介して分離可能に連結することによって構成される子守帯である。そして、子守帯本体は、連結具の少なくとも一つを覆う連結具カバーを有する。
【０００８】
これにより、乳幼児を保持した状態で子守帯本体を乳母車に取り付けた場合に、子守帯本体に設けられた連結部材によって乳幼児が怪我をすることを防ぐことができる。
【０００９】
好ましくは、連結具は、子守帯本体における乳幼児の足股部を支持する下端部に設けられ、下端部の連結具を覆う連結具カバーが、下端部に配置されている。これにより、乳幼児を保持した状態で子守帯本体を乳母車に取り付けた場合に、特に子守帯本体の足股部に設けられた連結部材によって乳幼児が怪我をすることを防ぐことができる。
【００１０】
好ましくは、連結具は、子守帯本体における乳幼児の両肩部を支持する上両側部に設けられ、上両側部の連結具を覆う連結具カバーが、上両側部に配置されている。これにより、乳幼児を保持した状態で子守帯本体を乳母車に取り付けた場合に、特に子守帯本体の上両側部に設けられた連結部材によって乳幼児が怪我をすることを防ぐことができる。
【００１１】
さらに好ましくは、子守帯本体は、背当て部と、背当て部の下方に連なる股当て部と、股当て部の下方に連なる前当て部とによって構成されている。そして、前当て部を前面に折り返し、前当て部の両側部と背当て部とを連結することによって背当て部と前当て部との間に乳幼児を収容する空間を形成する。ここで、両肩部は、背当て部の上方両側部に相当し、足股部は、股当て部または前当て部のいずれかの領域に相当する。これにより、担ぐ者は、乳幼児の下腹部全体を子守帯本体によって包み込んで子守帯本体に乳幼児を保持することができる。したがって、乳幼児を保持する場合における安定性や、乳幼児の快適性を向上させることができる。
【発明の効果】
【００１２】
本発明によれば、乳幼児を保持した状態で子守帯本体を乳母車に取り付けた場合に、子守帯本体に設けられた連結部材によって乳幼児が怪我をすることを防ぐことができる。
【図面の簡単な説明】
【００１３】
【図１】本発明の一実施形態に係る子守帯を前面側から見た外観図である。
【図２】本発明の一実施形態に係る子守帯に用いられる肩ベルトを前面側からみた外観図である。
【図３】図２に示したブリッジベルトの連結を解除した状態を示す拡大図である。
【図４】本発明の一実施形態に係る子守帯に用いられる子守帯本体およびヘッドサポート部を前面から見た外観図である。
【図５】本発明の一実施形態に係る子守帯本体を前面側から見た外観図である。
【図６】図１に示す子守帯本体を後面側から見た外観図である。
【図７】図５中に示した本体右腕部を矢印VIIの方向から見て拡大した拡大斜視図である。
【図８】図６中に示した雌バックルを矢印VIIIの方向から見て拡大した拡大図である。
【図９】図１に示す子守帯本体の使用時における状態を示す外観図である。
【図１０】本発明の一実施形態に係るヘッドサポート部を前面側から見た外観図である。
【図１１】本発明の一実施形態に係る子守帯に乳幼児を包んだ状態を前面から見た外観図である。
【図１２】本発明の一実施形態に係る子守帯を乳母車に装着した状態を示す外観図である。
【図１３】発明の他の実施形態に係る子守帯を前面側から見た外観図である。
【図１４】本発明の他の実施形態に係る子守帯に用いられる肩ベルトを前面側からみた外観図である。
【図１５】本発明の他の実施形態に係る子守帯の使用状態を示す斜視図である。
【発明を実施するための形態】
【００１４】
以下、本発明の実施の形態を図面に基づき詳細に説明する。図１は、本発明の一実施形態に係る子守帯１１を前面側から見た外観図である。なお、以下の説明において、左右方向は、図１を基準とする。
【００１５】
図１を参照して、子守帯１１は、乳幼児を担ぐ者の両肩にそれぞれ掛け渡される肩ベルト１２と、乳幼児の胴部を収容して支える子守帯本体３１と、子守帯本体３１の上方に着脱可能に連結され、使用時に乳幼児の頭部を覆うヘッドサポート部１４とを備える。肩ベルト１２は、子守帯本体３１の左上端および右上端において、それぞれ分離可能に連結されている。また、肩ベルト１２は、子守帯本体３１の下端部において、分離可能に連結されている。
【００１６】
図２は、本発明の一実施形態に係る子守帯１１に用いられる肩ベルト１２を前面側からみた外観図である。図２を参照して、肩ベルト１２は、左右一対のベルトであって、下端から上方に分岐する。より詳しくは、当該分岐下端部の左側から左上方へ向けて延びる左ベルト１５と、分岐下端部の右側から右上方へ向けて延びる右ベルト１６とを有する。
【００１７】
左ベルト１５は、上方に位置し担ぐ者の左肩に掛け渡される第一帯体１７と、第一帯体１７の下端部に長さ調整可能に連結されている第二帯体１８とから構成されている。第一帯体１７は、使用時において、担ぐ者の左肩に掛け渡されるため適度な弾性を有する材料によって構成されている。また、第二帯体１８の長さを調整することによって、左ベルト１５の長さを担ぐ者の体型に適合させることができる。第一帯体１７の上端には、子守帯本体３１の左上端に設けられたバックル部材と連結する雄バックル１９が、設けられている。また、第二帯体１８の下端に、子守帯本体３１の下端部に設けられたバックル部材と連結する雄バックル２０が、設けられている。
【００１８】
左ベルト１５と同様に、右ベルト１６は、上方に位置し担ぐ者の右肩に掛け渡される第一帯体２１と、第一帯体２１の下端部に長さ調整可能に連結されている第二帯体２２とから構成されている。第一帯体２１は、使用時において、担ぐ者の右肩に掛け渡されるため適度な弾性を有する材料によって構成されている。また、第二帯体２２の長さを調整することによって、右ベルト１６の長さを担ぐ者の体型に適合させることができる。第一帯体２１の上端には、子守帯本体３１の右上端に設けられたバックル部材と連結する雄バックル２３が、設けられている。また、第二帯体２２の下端に、子守帯本体３１の下端部に設けられたバックル部材と連結する雄バックル２４が、設けられている。
【００１９】
肩ベルト１２は、左ベルト１５と右ベルト１６との間の開き幅が肩ベルト１２の下端部において所定の幅（図２中のＬ）となるように保持するベルト保持材２５を有する。ベルト保持材２５は、雄バックル２０、２４の直上に位置しており肩ベルト１２の分岐下端部に相当する。ベルト保持材２５の左側部は第二帯体１８の下端部に縫着され、ベルト保持材２５の右側部は第二帯体２２の下端部に縫着されている。
【００２０】
このように左ベルト１５と右ベルト１６との間に所定の幅を持たせることによって、子守帯１１の使用時において、乳幼児の体重による負荷が、保持される乳幼児の足股部における微小領域に集中することを防ぐことができる。したがって、使用時における乳幼児の快適性を向上させることができる。また、保持された乳幼児が左右に揺れるなどの横方向への動きを効果的に防止することができる。
【００２１】
なお、本実施形態のように、ベルト保持材２５によって、左ベルト１５と右ベルト１６との間の距離だけではなく、左ベルト１５と右ベルト１６との間に所定の角度（図２中のθ）を形成するように左ベルト１５および右ベルト１６を保持させてもよい。左ベルト１５と右ベルト１６との間の角度を適切に設定することによって、使用時において、担ぐ者の肩に係る負荷および負荷の角度を最適化することができる。したがって、担ぐ者の疲労感を低減させることができる。
【００２２】
また、本実施形態においては、ベルト保持材２５を第二帯体１８、２２の下端部に縫着していたが、これに限らず、ベルト保持材２５が、第二帯体１８、２２に対して相対的に移動することができるように取り付けられていてもよい。
【００２３】
肩ベルト１２は、上方において、左ベルト１５と右ベルト１６との間の距離を適宜に保持するためのブリッジベルト２６を有する。ブリッジベルト２６の左端は、左ベルト１５の延在方向に対してスライド可能となるように、左ベルト１５に取り付けられている。また、ブリッジベルト２６の右端は、右ベルト１６の延在方向に対してスライド可能となるように、右ベルト１６に取り付けられている。
【００２４】
ブリッジベルト２６の詳細な構成について、図３を用いて説明する。図３は、図２に示したブリッジベルト２６の連結を解除した状態を示す拡大図である。ブリッジベルト２６は、一対となる雄係合部材２７および雌係合部材２８と、雄係合部材２７と左ベルト１５との間に位置する帯体２９と、雌係合部材２８と右ベルト１６との間に位置する帯体３０とから構成されている。
【００２５】
帯体２９の左端は、第一帯体１７の延在方向に対してスライド移動が可能となるように、第一帯体１７に取り付けられている。具体的には、第一帯体１７の裏面には、当該第一帯体１７に沿って副ベルト（図示せず）が取り付けられている。この副ベルトに無底の封筒形状のスリーブが挿通される。封筒形状のスリーブは副ベルトに沿って摺動可能であり、帯体２９の左端と結合する。帯体２９の右端には、雄係合部材２７が取り付けられている。帯体２９は、長さを調整することが可能となっている。
【００２６】
帯体３０の右端は、前述の帯体２９と同様の構成により、第一帯体２１の延在方向に対してスライド移動が可能となるように、第一帯体２１に取り付けられている。帯体３０の左端には、雌係合部材２８が取り付けられている。雄係合部材２７と雌係合部材２８とを連結させることによって、第一帯体１７および第一帯体２１との間の距離を適宜に保持することができる。
【００２７】
これにより、子守帯１１の使用時において、左ベルト１５と右ベルト１６の間の距離が広がり過ぎて肩ベルト１２が母親の肩から摺り落ちることを防止することができる。さらに、担ぐ者が両肩から子守帯１１を降ろす場合において、片手による簡単な操作でブリッジベルト２６の連結を解除することができる。これについて以下に簡単に説明する。前述のように、ブリッジベルト２６は、第一帯体１７および第一帯体２１の延在方向に対してスライド移動が可能である。すなわち、担ぐ者が、ブリッジベルト２６より下方において、左ベルト１５と右ベルト１６との間の距離を広げると、ブリッジベルト２６は、自動的に上方へとスライド移動する。したがって、両肩から子守帯１１を降ろす場合に、左ベルト１５と右ベルト１６との間の距離を広げてブリッジベルト２６を担ぐ者の首周辺にまで押し上げることによって、担ぐ者は、片手で容易にブリッジベルト２６の連結を解除することができる。
【００２８】
次に、図４〜図９を用いて、本発明の一実施形態に係る子守帯１１に用いられる子守帯本体３１について説明する。
【００２９】
図４は、本発明の一実施形態に係る子守帯１１に用いられる子守帯本体３１およびヘッドサポート部１４を示し、図１に示す子守帯１１から、肩ベルト１２を取り外した状態を前面から見た外観図である。図５は、本発明の一実施形態に係る子守帯本体３１を前面側から見た外観図である。図６は、図１に示す子守帯本体３１を後面側から見た外観図である。図７は、図５中に示した本体右腕部３６を矢印VIIの方向から見て拡大した拡大斜視図である。図８は、図６中に示した雌バックル５２、５３を矢印VIIIの方向から見て拡大した拡大図である。図９は、図５に示す子守帯本体３１の使用時における状態を示す外観図である。
【００３０】
図４〜図９を参照して、子守帯本体３１は、保持する乳幼児の背を背後から支持する背当て部３２と、背当て部３２の下方に連なり乳幼児の足股部を支持する股当て部３３と、股当て部３３の下方に連なり乳幼児の下腹部を前方から支持する前当て部３４とを有する。子守帯本体３１は、布製部材であり、クッション材料を含んでいてもよい。また、子守帯本体３１は、広がりを持った薄い形状であり、屈曲することができる。
【００３１】
背当て部３２の左上側部には、肩ベルト１２に設けられた雄バックル１９と連結する本体左腕部３５が、左上方へ向けて突出するように設けられている。また、背当て部３２の右上側部には、肩ベルト１２に設けられた雄バックル２３と連結する本体右腕部３６が、右上方へ向けて突出するように設けられている。
【００３２】
ここで、本体右腕部３６について詳しく説明する。図７に示すように、本体右腕部３６は、本体右腕部３６の前面側に位置する右腕部前部４０と、本体右腕部３６の後面側に位置する右腕部後部４１とを含む。右腕部前部４０および右腕部後部４１は、ともに下端部において背当て部３２の右上側部に連結している。右腕部前部４０および右腕部後部４１は、前述の右上側部から右上方へ向けてそれぞれ突出し、本体右腕部３６の上端部において、前後に分割された構成となっている。
【００３３】
右腕部前部４０および右腕部後部４１における対向する互いの両側部同士が、下端部から上方の所定の位置までの領域に亘って、縫製加工により形成された縫部４２、５９によって連結されている。これにより、縫部４２、５９が設けられている領域においては、右腕部前部４０と、右腕部後部４１と、右腕部前部４０および右腕部後部４１の両側に設けられた縫部４２、５９とによって囲まれた領域に袋状の空間４３が形成される。
【００３４】
この袋状の空間４３の内部に、肩ベルト１２に設けられた雄バックル２３と連結する雌バックル４４が、略全体を覆われるように内設されている。また、右腕部前部４０および右腕部後部４１の上部中央には、互いに係合し一対となる留め具４５、４６が、設けられている。したがって、肩ベルト１２が子守帯本体３１から取り外されている状態においては、留め具４５、４６を互いに連結することによって、雌バックル４４を外部から完全に覆い隠すことが可能となる。右腕部前部４０の前面側の留め具４５の下方において、ヘッドサポート部１４を取り付けるための留め具７４が取り付けられている。
【００３５】
前述のように、背当て部３２の左上側部には、本体左腕部３５が、設けられている。本体左腕部３５も、本体右腕部３６と同様に、本体左腕部３５の前面側に位置する左腕部前部４７と、本体左腕部３５の後面側に位置する左腕部後部４８とを有し、これらと縫部６０、６１とによって囲まれた領域に袋状の空間(図示せず)が、形成されている。そして、その空間の内部に、肩ベルト１２に設けられた雄バックル１９と連結する雌バックル４９が、内設されている。また、左腕部前部４７および左腕部後部４８の上部中央に設けられた留め具５０、５１を互いに連結すると、図５〜図６に示すように、雌バックル４９が、外部から完全に覆い隠される。左腕部前部４７の前面側の留め具５０の下方において、ヘッドサポート部１４を取り付けるための留め具７３が取り付けられている。
【００３６】
背当て部３２の上下方向中央部には、バックル帯３７、３８が、長さ調整可能に取り付けられている。バックル帯３７は、背当て部３２の中央部左端から、左方向へ向けて略水平に延びるように背当て部３２に取り付けられている。バックル帯３７の左端には、雄バックル３９が取り付けられている。バックル帯３７の長さを調整することによって、バックル帯３７が取り付けられている背当て部３２と、雄バックル３９との間の距離を調整することができる。
【００３７】
これと同様に、バックル帯３８が、背当て部３２の上下方向中央部に、長さ調整可能に取り付けられている。バックル帯３８は、背当て部３２の中央部右端から、右方向へ向けて略水平に延びるように背当て部３２に取り付けられている。バックル帯３８の右端には、雄バックル５８が取り付けられている。バックル帯３８の長さを調整することによって、背当て部３２と、雄バックル５８との間の距離を調整することができる。
【００３８】
さらに、背当て部３２は、後面の上部中央において、ヘッドサポート部１４を取り付けるためのポケット（図示せず）を有する。また、ポケットの内部において、面ファスナ（図示せず）が、内設されている。これらの構成については、後述する。
【００３９】
股当て部３３は、適度な弾性を有する芯材（図示せず）を内部に含む。この芯材によって、使用時に乳幼児の足股にかかる負荷を軽減させ、乳幼児の快適性を向上させることができる。
【００４０】
図６および図８に示すように、前当て部３４の上部において、肩ベルト１２に設けられた雄バックル２０、２４と連結する雌バックル５２、５３と、雌バックル５２、５３を覆うバックルカバー５４が、設けられている。雌バックル５２、５３は、雄バックル挿入口の開口方向が下方となるように前当て部３４の上部に取り付けられている。雌バックル５２、５３は、雄バックル２０、２４が外されている場合、バックルカバー５４によって外部から完全に覆い隠される。
【００４１】
さらに、前当て部３４は、前当て部３４の中央部に設けられた第一挿通部帯７２と、前当て部３４の中央領域に内在する適度な弾性を備える芯材５５とを有する。第一挿通部帯７２は、略水平となるように両端部が前当て部３４に縫着されている。ここで、第一挿通部帯７２と前当て部３４との間に形成された隙間を第一挿通部とする。なお、第一挿通部および芯材５５については後述する。
【００４２】
前当て部３４の下部には、前述の雄バックル３９と連結する雌バックル５６と、前述の雄バックル５８と連結する雌バックル５７とが、取り付けられている。雌バックル５６は、雄バックル３９が挿入される挿入口の開口方向が左方向へ向けて略水平となるように、前当て部３４に取り付けられている。対して、雌バックル５７は、挿入口の開口方向が、右方向へ向けて略水平となるように、前当て部３４に取り付けられている。
【００４３】
次に、図５に示した状態の子守帯本体３１を、図９に示す使用時の状態とする方法について説明する。まず使用者は、図５に示す状態の子守帯本体３１において、前当て部３４を前面側へ向けて折り返す。そして、雄バックル３９と雌バックル５６を連結する。同様に、雄バックル５８と雌バックル５７を連結する。このようにして、背当て部３２と、股当て部３３と、前当て部３４とに囲まれた領域に、乳幼児を収容するための空間を形成し、子守帯本体３１は使用時の状態となる。このような構成とすることにより、子守帯１１を用いて乳幼児を担ぐ場合、乳幼児の下腹部全体を子守帯本体３１によって包み込み、乳幼児を保持することができる。したがって、使用時において、乳幼児を保持する安定性を増加させ、且つ保持される乳幼児の快適性を向上させることができる。さらに、バックル帯３７、３８の長さを調整することによって、乳幼児の体型に合わせて容易に収容空間のサイズを変更することができる。
【００４４】
次に、図１０を用いて本発明の一実施形態に係る子守帯１１に用いられるヘッドサポート部１４について説明する。図１０は、本発明の一実施形態に係るヘッドサポート部１４を前面側から見た外観図である。
【００４５】
ヘッドサポート部１４は、使用時に乳幼児の頭部を覆う頭部保護パッド６５と、頭部保護パッド６５の下方に連結し、乳幼児の背を背後から支持する背中保持部材６６とから構成されている。頭部保護パッド６５の両側端部には、それぞれ円環部６７、６８が設けられている。円環部６７の前面側中央部には、子守帯本体３１に設けられた留め具７４と係合する留め具７６が、取り付けられている。ここで、留め具７６は、留め具７６の係合部が円環部６７の内周側に突出するように円環部６７に取り付けられる。また、円環部６８の前面側中央部には、子守帯本体３１に設けられた留め具７３と係合する留め具７５が、留め具７６と同様に取り付けられている。
【００４６】
背中保持部材６６は、適度な弾性を有する芯材（図示せず）を内部に含む。これにより、使用時において、乳幼児を保持する場合の安定性や、保持される乳幼児の快適性を向上させることができる。また、背中保持部材６６の前面側における下方中央部には、面ファスナ７１が設けられている。
【００４７】
次に、図５〜図１０を用いて、ヘッドサポート部１４を子守帯本体３１に取り付ける方法について説明する。まず使用者は、ヘッドサポート部１４の背中保持部材６６の下端部を、背当て部３２の後面の上部中央に設けられたポケットへ挿入する。そして、背中保持部材６６をポケットの奥まで押し込み、背当て部３２のポケット内に設けられた面ファスナと、背中保持部材６６に設けられた面ファスナ７１とを連結する。次いで、本体左腕部３５を円環部６８に挿通し、本体左腕部３５に設けられた留め具７３と、円環部６８に設けられた留め具７５とを連結する。同様に、本体右腕部３６を円環部６７に挿通し、本体右腕部３６に設けられた留め具７４と、円環部６７に設けられた留め具７６とを連結する。この作業によって、子守帯１１は、図４に示した状態となる。ここで、留め具７３、７４と、留め具７５、７６を連結することによって、図４に示すように、ヘッドサポート部１４と、子守帯本体３１との間に空間が形成される。この空間を、それぞれ第二挿通部７７および第三挿通部７８とする。第二挿通部７７および第三挿通部７８については後述する。
【００４８】
このように、担ぐ者は、簡単な操作によってヘッドサポート部１４を子守帯本体３１に取り付けることができる。したがって、首が座らない時期の乳幼児に必要であるヘッドサポート部１４を、首が座りヘッドサポート部１４が必要でなくなった場合に簡単な作業によって取り外すことができる。すなわち、子守帯の形態変化を容易に行うことが可能となる。また、このようにヘッドサポート部１４を容易に着脱させることが可能であることから、子守帯を用いて乳幼児を縦方向に保持する縦抱き形態と、乳幼児を横にして保持する横抱き形態に関しても、容易に形態変化させることが可能となる。
【００４９】
次に、図１〜図９を用いて、図４に示した状態の子守帯に肩ベルト１２を取り付ける方法について説明する。まず子守帯１１を用いて乳幼児を担ぐ者は、左ベルト１５に設けられた雄バックル１９を、子守帯本体３１の本体左腕部３５に設けられた雌バックル４９に連結する。次いで、右ベルト１６に設けられた雄バックル２３を、子守帯本体３１の本体右腕部３６に設けられた雌バックル４４に連結する。そして、肩ベルト１２の下端に相互が結合するように取り付けられている雄バックル２０、２４を、子守帯本体３１の前当て部３４に設けられた雌バックル５２、５３にそれぞれ連結する。このような容易な作業によって、子守帯本体３１に肩ベルト１２を装着することができるために、担ぐ者は、作業を理解がし易く、且つ迅速に行うことができる。
【００５０】
また、本実施形態に係る子守帯１１においては、雄バックル２０、２４が、肩ベルト１２の下端に、ベルト保持材２５によって相互が結合するように取り付けられている。したがって、子守帯本体３１に肩ベルト１２を取り付ける作業にあたり、担ぐ者は、バックル部材を個別に手繰り寄せて連結する必要がないため、雄バックル２０、２４をほぼ同時に雌バックル５２、５３に連結することが可能である。すなわち、取り付け作業を容易かつ迅速に行うことが可能である。
【００５１】
図１１に本実施形態に係る子守帯１１に乳幼児を包んだ状態を示す。図１〜図１０を用いて述べたように、本実施形態に係る子守帯１１は、図１１に示す状態とするまでに至る作業を容易とするため、担ぐ者は、作業を迅速に行うことができる。
【００５２】
また、本実施形態に係る子守帯１１において、子守帯本体３１と肩ベルト１２が、子守帯本体３１に設けられた雄バックル２０、２４と、肩ベルト１２の下端に設けられた雌バックル５２、５３によって、保持される乳幼児の足股部において二重に連結されている。これにより、雄バックル２０、２４のうちの一方の連結が誤動作によって解除された場合、または破断した場合においても、残る他方の連結によって乳幼児が脱落することを防ぐことができる。
【００５３】
なお、本実施形態においては、前述のように、保持される乳幼児の足股部において肩ベルト１２と子守帯本体３１とを二重に連結させている場合について説明したが、これに限らず、一つの連結または二つ以上の連結であってもよい。
【００５４】
また、本実施形態に係る子守帯１１においては、肩ベルト１２に取り付けられたバックル部材は、雄バックル１９、２０、２３、２４であり、全て雄部材で構成されている。対して、これらのバックルと連結する子守帯本体に取り付けられたバックル部材は、雌バックル４４、４９、５２、５３であり、全て雌部材で構成されている。このように構成することによって、肩ベルト１２を子守帯本体３１に取り付ける場合において、取り付け方法を統一させることができる。したがって、肩ベルト１２を子守帯本体３１に取り付ける作業をさらに容易とすることができる。
【００５５】
また、連結して一対となる雄バックル１９および雌バックル４９をある特定の色（例えば赤色）で構成し、雄バックル２３および雌バックル４４を他の色（例えば青色）で構成し、雄バックル２０、２４および雌バックル５２、５３をさらに他の色（例えば黄色）で構成してもよい。これにより、担ぐ者が、互いに連結し一対とするべきバックル部材を色によって即座に識別することができる。また、連結して一対となるバックル部材にそれぞれ標識を付し、担ぐ者が、これら一対となるバックル部材を標識によって識別することができるようにしてもよい。これにより、肩ベルト１２を子守帯本体３１に取り付ける作業をさらに容易とすることができる。
【００５６】
次に、図１〜図１２を用いて、本発明の一実施形態に係る子守帯１１を乳母車８０に装着する場合について説明する。図１２は、本発明の一実施形態に係る子守帯１１を乳母車８０に装着した状態を示す外観図である。図１〜図１２を参照して、本実施形態に係る子守帯１１を乳母車８０に装着する場合、担ぐ者は、まず図１１に示すように乳幼児を包んだ状態の子守帯１１を乳母車８０に設置し、肩ベルト１２を取り外す。その時に、子守帯本体３１の本体右腕部３６に取り付けられている留め具４５、４６を互いに連結し、雌バックル４４を外部から完全に覆い隠す。同様に、子守帯本体３１の本体左腕部３５に取り付けられている留め具５０、５１を互いに連結し、雌バックル４９を外部から完全に覆い隠す。さらに、前当て部３４に取り付けられている雌バックル５２、５３をバックルカバー５４の中に入れる。
【００５７】
次に、乳母車８０の左肩拘束ベルト６３を第二挿通部７７に通し、乳幼児の腹部付近まで引き延ばす。同様にして、乳母車８０の右肩拘束ベルト６４を第三挿通部７８に通し、乳幼児の腹部付近まで引き延ばす。そして、乳母車８０の足股拘束ベルト７９を、第一挿通部帯７２と前当て部３４との間に形成された第一挿通部に通し、乳幼児の腹部付近まで引き延ばす。最後に、乳幼児の腹部付近上において乳母車８０の各拘束ベルトを連結させ、図１２に示す状態となる。
【００５８】
このように、本実施形態に係る子守帯１１においては、保持される乳幼児の下腹部を支える前当て部３４に、乳母車８０に位置決めするための拘束ベルトを挿通させる第一挿通部が、設けられている。
【００５９】
これにより、担ぐ者は、乳幼児を子守帯本体３１に保持した状態で、子守帯本体３１を乳母車８０に取り付けることができる。また、子守帯本体３１を乳母車８０に取り付ける場合において、担ぐ者は、乳幼児の下腹部の位置に設けられた第一挿通部に、足股拘束ベルト７９を挿通するだけでよく、他の連結部材の係合または解除といった作業を必要としない。したがって、乳母車８０への取り付け作業が容易である。さらに、第一挿通部に挿通された足股拘束ベルト７９によって、子守帯本体３１が乳母車８０に確実に拘束されるため、子守帯本体３１に保持された乳幼児の下半身の動きを効果的に抑えることができる。したがって、乳幼児をより安定して乳母車８０に拘束することが可能となる。
【００６０】
また、本実施形態に係る子守帯１１においては、前述のように、第一挿通部が、第一挿通部帯７２と前当て部３４との間の隙間によって形成されている。これにより、乳母車８０の足股拘束ベルト７９を第一挿通部に挿通させる作業をより理解し易く且つ容易とすることができる。また、第一挿通部を帯によって構成することによって、子守帯１１をより低コストで製造することができる。
【００６１】
また、本実施形態に係る子守帯１１において、第二挿通部７７および第三挿通部７８は、ヘッドサポート部１４と子守帯本体３１との間の空間を利用することによって構成されている。これにより、子守帯本体３１を、第一〜第三挿通部を介して乳母車８０へ拘束することができるため、乳幼児をさらに安定して乳母車８０に拘束することが可能となる。また、他の連結部材の係合または解除といった作業が不必要であるため、容易に子守帯本体３１を乳母車８０へ取り付けることが可能である。さらに、乳母車８０への取り付けのための連結部材を別途必要としないため、製造コストを削減することができる。
【００６２】
また、本実施形態に係る子守帯本体３１は、前述のように、前当て部３４の中央領域に内在する適度な弾性を備える芯材５５を有する。この芯材５５によって、担ぐ者が子守帯１１を乳母車８０へ取り付ける作業をしているときに誤って乳幼児の下腹部に圧迫を加えた場合に、その力を緩和させる効果がある。さらに、芯材５５は、子守帯１１が乳母車８０へ取り付けられた後において、乳母車８０の足股拘束ベルト７９が乳幼児の足股部に与える負荷を緩和させる効果も有する。
【００６３】
また、本実施形態に係る子守帯１１を乳母車８０に装着した場合、子守帯本体３１に取り付けられているバックル部材のうち、肩ベルト１２と連結するバックル部材（雌バックル４４、４９、５２、５３）は、全て外部から覆い隠されている。これにより、乳母車に収容された乳幼児が、子守帯本体３１に取り付けられたバックル部材によって怪我をすることを防ぐことができる。さらに、この構成によって我が国の幼児運搬装置（乳母車）に関する規格を満足できることから、本実施形態に係る子守帯１１は、乳母車に適用可能な子守帯として高い利便性を備える。
【００６４】
なお、本実施形態においては、子守帯本体３１に取り付けられているバックル部材のうち、肩ベルト１２と連結する全てのバックル部材が、外部から覆い隠されている場合について説明したが、これに限らず、少なくとも一つのバックル部材が覆われてさえいれば、乳幼児が怪我をする可能性を低くする効果が期待できる。また、本実施形態においては、バックル部材を覆うカバーを、子守帯本体３１に一体的に取り付けられた部材によって構成したが、これに限らず、子守帯本体３１から独立した別部材によって覆うものであってもよい。また、カバーの材質も布製に限らず、どのような材質であってもよい。
【００６５】
次に、本発明の他の実施形態に係る子守帯８１について、図１３〜図１５を用いて説明する。図１３は、本発明の他の実施形態に係る子守帯８１を前面側から見た外観図である。図１４は、本発明の他の実施形態に係る子守帯８１に用いられる肩ベルト８２を前面側からみた外観図である。図１５は、本発明の他の実施形態に係る子守帯８１の使用状態を示す斜視図である。
【００６６】
図１３を参照して、子守帯８１は、乳幼児を担ぐ者の両肩にそれぞれ掛け渡される肩ベルト８２と、前述の子守帯本体３１およびヘッドサポート部１４とを備える。肩ベルト８２は、子守帯本体３１の左上端および右上端において、それぞれ分離可能に連結されている。また、肩ベルト８２は、子守帯本体３１の下端部において、分離可能に連結されている。
【００６７】
図１４を参照して、肩ベルト８２は、左右一対のベルトであって、下端から上方に向かって分岐する。そして、下端から右上方へ向けて延び、中央領域で左側へと屈曲し左上端まで延びる第一肩ベルト８３と、下端から左上方へ向けて延び、中央領域で右側へと屈曲し右上端まで延びる第二肩ベルト８４とを有する。第一肩ベルト８３および第二肩ベルト８４は、それぞれの延在方向中央領域において、互いに交差している。
【００６８】
第一肩ベルト８３は、上方に位置し担ぐ者の左肩に掛け渡される第一帯体８５と、第一帯体８５の下端部に長さ調整可能に連結されている第二帯体８６とから構成されている。第一帯体８５は、使用時において、担ぐ者の左肩に掛け渡されるため適度な弾性を有する材料によって構成されている。また、第二帯体８６の長さを調整することによって、第一肩ベルト８３の長さを担ぐ者の体型に適合させることができる。第一帯体８５の上端には、子守帯本体３１の本体左腕部３５に設けられた雌バックル４９と連結する雄バックル８７が、設けられている。また、第二帯体８６の下端に、子守帯本体３１の前当て部３４に取り付けられた雌バックル５３と連結する雄バックル８８が、設けられている。
【００６９】
第一肩ベルト８３と同様に、第二肩ベルト８４は、上方に位置し担ぐ者の右肩に掛け渡される第一帯体８９と、第一帯体８９の下端部に長さ調整可能に連結されている第二帯体９０とから構成されている。第一帯体８９は、使用時において、担ぐ者の右肩に掛け渡されるため適度な弾性を有する材料によって構成されている。また、第二帯体９０の長さを調整することによって、第二肩ベルト８４の長さを担ぐ者の体型に適合させることができる。第一帯体８９の上端には、子守帯本体３１の本体右腕部３６に設けられた雌バックル４４と連結する雄バックル９１が、設けられている。また、第二帯体９０の下端に、子守帯本体３１の前当て部３４に取り付けられた雌バックル５２と連結する雄バックル９２が、設けられている。
【００７０】
肩ベルト８２は、第一肩ベルト８３と第二肩ベルト８４との間の開き幅が肩ベルト１２の下端部において所定の幅となるように保持するベルト保持材９３を有する。本実施形態においては、ベルト保持材９３は、雄バックル８８、９２の上方に位置し、第二帯体８６、９０に対して相対移動可能に取り付けられている。
【００７１】
このように第一肩ベルト８３と第二肩ベルト８４との間に所定の幅を持たせることによって、子守帯８１の使用時において、乳幼児の体重による負荷が、保持される乳幼児の足股部における微小領域に集中することを防ぐことができる。したがって、使用時における乳幼児の快適性を向上させることができる。また、保持された乳幼児の横方向への動きといった子守帯本体３１の水平方向への運動に対し、それを効果的に抑えることができる。
【００７２】
本実施形態においては、肩ベルト８２は、第一肩ベルト８３および第二肩ベルト８４の延在方向中央領域において交差し、且つ交差箇所で相対回動可能に連結されている。連結方法としては、例えば第一肩ベルト８３または／および第二肩ベルト８４に設けられた挿通部に、他方のベルトを挿通させることによって互いを連結してもよいし、リベット等によって連結してもよい。
【００７３】
この構成により、前述のブリッジベルト２６といった別部材を用いずに、使用時において肩ベルト８２が担ぐ者の肩から摺り落ちることを防止することができる。また、肩ベルト８２の下端のみならず、中央領域の交差部においても、第一肩ベルト８３および第二肩ベルト８４が結合し連動するため、取り扱いが便利である。さらに、担ぐ者の体型や動きに対して適合するように、第一肩ベルト８３および第二肩ベルト８４が、交差部で相対的に回動するために、肩ベルト８２がより柔軟に変形することが可能である。
【００７４】
なお、子守帯８１における肩ベルト８２以外の構成要素は、図４〜１０に示したものと同様であるため詳しい説明は省略する。
【００７５】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【００７６】
本発明は、乳幼児を保持した状態で子守帯本体を乳母車に取り付けた場合に、子守帯本体に設けられた連結部材によって乳幼児が怪我をすることを防ぐことができる子守帯を提供することから、子守帯に有利に利用される。
【符号の説明】
【００７７】
１１，８１  子守帯、１２，８２  肩ベルト、１４  ヘッドサポート部、１５  左ベルト、１６  右ベルト、１７，２１，８５，８９  第一帯体、１８，２２，８６，９０  第二帯体、１９，２０，２３，２４，３９，５８，８７，８８，９１，９２  雄バックル、２５，９３  ベルト保持材、２６  ブリッジベルト、２７  雄係合部材、２８  雌係合部材、３１  子守帯本体、３２  背当て部、３３  股当て部、３４  前当て部、３５  本体左腕部、３６  本体右腕部、３７，３８  バックル帯、４０  右腕部前部、４１  右腕部後部、４２，５９，６０，６１  縫部、４３  空間、４４，４９，５２，５３，５６，５７  雌バックル、４５，４６，５０，５１，７３，７４，７５，７６  留め具、４７  左腕部前部、４８  左腕部後部、５４  バックルカバー、５５  芯材、６５  頭部保護パッド、６６  背中保持部材、６７，６８  円環部、７１  面ファスナ、７２  第一挿通部帯、７７  第二挿通部、７８  第三挿通部、６３  左肩拘束ベルト、６４  右肩拘束ベルト、７９  足股拘束ベルト、８０  乳母車、８３  第一肩ベルト、８４  第二肩ベルト。
【図１】
2011147476.tif 000003
【図２】
2011147476.tif 000004
【図３】
2011147476.tif 000005
【図４】
2011147476.tif 000006
【図５】
2011147476.tif 000007
【図６】
2011147476.tif 000008
【図７】
2011147476.tif 000009
【図８】
2011147476.tif 000010
【図９】
2011147476.tif 000011
【図１０】
2011147476.tif 000012
【図１１】
2011147476.tif 000013
【図１２】
2011147476.tif 000014
【図１３】
2011147476.tif 000015
【図１４】
2011147476.tif 000016
【図１５】
2011147476.tif 000017